(57)【要約】【課題】  畦の上部形状を調節可能とするとともに、畦の上部形状を平坦もしくは丸く構成する。【解決手段】  前後方向に延出された側部整形器５８を左右に配設し、該左右に配設した側部整形器５８・５８間にステー６２を配設し、該ステー６２に板体６１を固定するとともに、該板体６１の端部を側部整形器５８・５８に当接させて湾曲させ、該板体６１の角度を可変に構成する。さらに、側部整形器５８間に前整形器６０を配設して土を中央によせる。【選択図】  図２
2006014707.tif 000002
【特許請求の範囲】
【請求項１】
前後方向に延出された側部整形器を左右に配設し、
該左右に配設した側部整形器間に板体を配設し、
該板体を左右に配設した側部整形器に当接させて湾曲させたことを特徴とする畦立て機。
【請求項２】
前後方向に延出された側部整形器を左右に配設し、
該左右に配設した側部整形器の前部間に土を中央によせる前部整形器を配設したことを特徴とする畦立て機。
【請求項３】
前後方向に延出された側部整形器を左右に配設し、
該左右に配設した側部整形器間にステーを配設し、
該ステーに板体を固定するとともに、
該板体の端部を側部整形器に当接させて湾曲させ、
該左右に配設した側部整形器の前部間に土を中央によせる前部整形器を配設したことを特徴とする畦立て機。
【発明の詳細な説明】
【技術分野】
【０００１】
本発明は、管理機に接続されて畦立てを行う畦立て機に関するものである。より詳しくは、畦の上部形状を調節可能な畦立て機に関するものである。
【背景技術】
【０００２】
従来、畦立て作業機としては、溝上げ作業を行うロータリ部の直後方位置に、同ロータリ部により耕耘された土を整形して畦の法面を成形する法面成形部を設けたものが知られている。
そして、機体の進行方向に沿って耕耘土を整形して栽培畦の法面を成形する法面成形部に、円柱状ないしは逆円錘台形状に形成した法面成形用回転ローラを設け、畦立てを行うものが知られている（特許文献１）。
【０００３】
さらに、外盛り整形器の整形板に弾性体からなる延長部材を設け、かつ延長部材を湾曲して、延長部材を調節自在としたものも知られている（特許文献２）。
【特許文献１】特開２００４−４１０３３号公報
【特許文献２】特開平１１−１３７００３号公報
【発明の開示】
【発明が解決しようとする課題】
【０００４】
しかし、特許文献１および特許文献２に記載された技術においては、畦の上部形状を平坦もしくは丸く構成することが困難である。そして、畦上部形状の調節が困難である。
【課題を解決するための手段】
【０００５】
請求項１に記載のごとく、前後方向に延出された側部整形器を左右に配設し、該左右に配設した側部整形器間に板体を配設し、該板体を左右に配設した側部整形器に当接させる。
【０００６】
請求項２に記載のごとく、前後方向に延出された側部整形器を左右に配設し、該左右に配設した側部整形器の前部間に土を中央によせる前部整形器を配設する。
【０００７】
請求項３に記載のごとく、前後方向に延出された側部整形器を左右に配設し、該左右に配設した側部整形器間にステーを配設し、該ステーに板体を固定するとともに、該板体の端部を側部整形器に当接させて湾曲させ、該左右に配設した側部整形器の前部間に土を中央によせる前部整形器を配設した。
【発明の効果】
【０００８】
請求項１に記載のごとく、前後方向に延出された側部整形器を左右に配設し、該左右に配設した側部整形器間に板体を配設し、該板体を左右に配設した側部整形器に当接させるので、容易な構成により畦上部に板体を接触させて形状を整形可能となる。
【０００９】
請求項２に記載のごとく、前後方向に延出された側部整形器を左右に配設し、
該左右に配設した側部整形器の前部間に土を中央によせる前部整形器を配設するので、畦上部に土を十分に供給でき、畦上部におけるへこみを解消できる。
【００１０】
請求項３に記載のごとく、前後方向に延出された側部整形器を左右に配設し、該左右に配設した側部整形器間にステーを配設し、該ステーに板体を固定するとともに、該板体の端部を側部整形器に当接させて湾曲させ、該左右に配設した側部整形器の前部間に土を中央によせる前部整形器を配設したので、畦上部における土不足を解消するとともに、畦上部を形成する調節可能な板体の固定部を少なく構成でき、畦上部を整形する板体の取り付けが容易になる。さらに、板体の弾性を利用して整形時の衝撃を吸収して安定した畦の整形を行うこことができる。
【発明を実施するための最良の形態】
【００１１】
前後方向に延出された側部整形器を左右に配設し、該左右に配設した側部整形器間にステーを配設し、該ステーに板体を固定するとともに、該板体の端部を側部整形器に当接させて湾曲させ、該板体の角度を可変に構成する。
【実施例１】
【００１２】
次に、本発明を実施するための形態を、添付の図面を用いて説明する。
まず、耕耘ロータリを備えた歩行型管理機の構成を簡単に説明する。
図１は歩行型管理機の全体側面図である。歩行型の管理機１０においては、機体の上部略中央部にエンジン２１が配置されており、機体の後下部には走行輪１２が配置され、前下部にはロータリ２４が配置されている。そして、ロータリ２４の前方には補助車輪３９が配設されている。
【００１３】
また、エンジン２１からの動力は、伝動ケース２９を介してミッションケース２３に伝達され、さらに該ミッションケース２３から走行輪１２およびロータリ２４へ伝達されている。
前記エンジン２１の後方にはハンドル台４１が設けられ、該ハンドル台４１には、操作用のハンドル４２が上下方向へ回動可能に取付けられている。該ハンドル４２の下方には、変速レバー４４が配設されている。
前記ロータリ２４は、爪軸６に複数の耕耘爪１・１・・を装着して構成しており、エンジン２１により回転駆動可能とされている。
【００１４】
管理機１０の下後部には畦立て機５１が取付けられており、ロータリ２４により耕耘された土を畦立て機５１により畦立てするものである。畦立て機５１は管理機１０の下後部に配設されるヒッチ５２に接続され、管理機１０とともに移動する構成となっている。
【００１５】
次に、畦立て機５１の構成について、図を用いて説明する。図２は畦立て機の後方斜視図であり、図３は同じく側面図であり、図４は同じく平面図であり、図５は同じく畦立て機のピッチ調節構成を示す図である。
畦立て機５１はステー５４、フレーム５５、ビーム５３、前整形器６０、側部整形器５８、上部整形器６５とにより構成される。
ステー５４はヒッチ５２に接続されるものであり、ステー５４をヒッチ５２に接続することにより管理機１０に畦立て器５１が接続される。
図５に示すごとく、ステー５４は接続部５４ｃを介してフレーム５５に接続されている。ステー５４の後端部にはピッチ調節部５４ｂが設けられており、ピッチ調節部５４ｂはフレーム５５に接続し畦立て器５１の前方への傾きを調節可能に構成しているものである。ピッチ調節部５４ｂにはネジ溝が設けられており、ピッチ調節部５４ｂを回動させることによりステー５４の後部とフレーム５５の後部との間隔を調節可能に構成しているものである。
【００１６】
フレーム５５の前部には前整形器６０が取付けられている。
前整形器６０は平面視逆ハ字状に配設された２枚の板体により構成されている。この逆ハ字状に配設された板体により土を中央によせるものである。逆ハ字状に配設された板体は、前端間が広く、後端間が狭く構成されている。これにより、板間に導入された土を中央に集めるものである。
前整形器６０により土を中央によせることにより、側部整形器５８および上部整形器６５により整形される前に中央部における土の量を十分に供給できる。これにより、畦上部に土が不足することがなく、上部にへこみが生じないものである。
また、側部整形器５８に接触する前の土を中央によせるので、側部整形器５８に当接する土量を減少させて側部整形器５８にかかる負荷を軽減できるものである。
【００１７】
フレーム５５には側方に延出されたビーム５３が固定されている。ビーム５３は側部整形器５８を支持するものであり、ビーム５３の両端には幅調節部５６・５６が装着されている。幅調節部５６には下方に延出した補強材５６ｂの上端が固定されており、ビーム５３に対する位置を調節することにより側部整形器５８の導入幅を調節可能に構成しているものである。
補強部材部材５６ｂは側部整形器５８の前整形部５８ｆの外側面に固定されており、前整形部５８ｆの補強を行うものである。前整形部５８ｆの前下には外側へ水平方向に折れた水平部５８ｂが構成されており、補強部材５６ｂの下端が水平部５８ｂの上面に固定されている。これにより、側部整形器５８の前部を構成する前整形部５８ｆの剛性を確保するものである。
【００１８】
側部整形器５８は、前後方向に配設される１対の屈曲した板体を左右にそれぞれ配設して構成されている。そして、この板体の後端部には樹脂板５８ｃがそれぞれ取付けられるものである。屈曲した板体において前部が前整形部５８ｆであり、後部が後整形部５８ｇである。樹脂板５８ｃは後整形部５８の後端部に取付けられるものである。そして、後整形部５８ｇ・５８ｇの上端には後幅調節部５７が接続し、側部整形器５８の後部における上端間距離を調節可能に構成している。
２つの前整形部５８ｆ・５８ｆ間において前部では板間が平行に構成され、後部では上端間の距離が短くなり板間がハ字状に構成され、後整形部５８ｇに接続されるものである。
【００１９】
次に、上部整形器６５の構成について説明する。
上部整形器６５はステー６３および湾曲板６１とにより構成されている。上部整形器６５はフレーム５５の後端に上下位置張設可能に取付けられるものであり、側部整形器５８の内側に配設されるものである。上部整形器６０はステー６３を介してフレーム５５に取付けられ、ステー６３の下端には取付プレート６２が固設されている。
取付プレート６２の前面には、湾曲板６１の左右中央上部が取付けられるものであり、湾曲板６１の左右両端部は側部整形器５８の内側面に当接して湾曲板６１が湾曲形状に保持されるものである。
取付プレート６２には湾曲板６１と取付ける取付面を複数設けることが可能である。本実施例においては、取付プレート６２を垂直面と斜面を有する側面視「く」字状に構成して、正面および斜め下方に向いた面とが構成されており、いずれかの面に湾曲板６１をボルト等を用いて付け替え可能となっている。また、取付プレート６２をステー６３に対して傾動可能に構成して湾曲板６１の角度を変更可能としてもよい。
湾曲板６１は矩形状の板体であって、側部整形器５８間で湾曲可能であり、畦の整形に耐えるものであればよく、金属板や樹脂板を用いることが可能である。本実施例においては、湾曲板６１として樹脂板を用いるものである。
【００２０】
次に、上部整形器６５により、畦立て形状を変える構成について説明する。
図６は畦立て機の構成を示す模式図であり、図７は湾曲板の取り付け例を示す斜視図であり、図８は同じく側面図であり、図９は同じく平面図であり、図１０は同じく正面図であり、図１１は畦立て形状を示す正面断面図である。
そして、図１２は正面側に取付けた湾曲板の構成を示す側断面図であり、図１３は同じく斜下面側に取付けた湾曲板の構成を示す側断面図である。
畦立て機５１には、前より前整形器６０、側部整形器５８、上部整形器６５が配設されている。上部整形器６５の取付プレート６２は屈曲した構成となっており、上部が垂直方向に構成され、下部が後方に曲がった構成となっている。これにより、取付プレート６２の前面には正面に向いた取付面と斜め下方に向いた取付面とが構成される。
そして、この取付プレート６２のどちらの取付面に湾曲板６１を取付けるかによって、畦立て形状を変えることができるものである。
【００２１】
取付プレート６２には、湾曲板６１の取付面として正面と斜下面とが構成されているものである。
図７から図１０において、（ａ）は取付プレート６２の正面側に湾曲板６１を装着した状態を示し、（ｂ）は斜下面側に装着した状態を示す。
正面側に湾曲板６１を装着すると、湾曲板６１が上下方向に配設される。これにより、畦立て機５１に装着された状態において、湾曲板６１を進行方向に対してほぼ直角に配設できる。湾曲板６１の下端は図１０（ａ）に示すごとく、直線状に構成される。
そして、湾曲板６１は平面視において、側部整形器５８に挟まれて前方に広がった湾曲形状となる。側部整形器５８などにより湾曲板６１へと導入された土は、湾曲板６１に当接して水平にならされる。
これにより、畦立て形状を図１１（ａ）に示すごとく、上部が水平な形状の平高整形に構成できるものである。
【００２２】
斜下面側に湾曲板６１を装着すると、湾曲板６１は斜下方に向けて配設される。この状態において湾曲板６１を進行方向に対して斜方向に配設できる。そして、湾曲板６１の下端は図１０（ｂ）に示すごとく、アーチ状に構成される。
そして、側部整形器５８に挟まれて前下方に広がった湾曲形状となる。側部整形器５８などにより湾曲板６１へと導入された土は、湾曲板６１に当接して下方に押し付けられるとともに、湾曲板６１の下端形状に沿って湾曲した形状にされる。
これにより、畦立て形状を図１１（ｂ）に示すごとく、上部が丸い形状の内盛整形に構成できるものである。
【００２３】
すなわち、前整形器６０により畦の中央へ土をよせ、この中央によせられた土を湾曲板６１により整形することで、湾曲板６１の下端もしくは後端形状に沿った畦を整形するものである。前整形器６０により予め土が中央部に十分供給されるため、湾曲板６１付近に土が十分に充填されることとなり、確実な畦の整形を行うことが可能となるものである。
そして、湾曲板６１により整形を行うので、内盛整形においてはなだらかに変化する自然な断面形状を有する畦を構成することが可能である。また、湾曲板６１の形状や曲げ方により必要に応じて畦形状を調節することができるものである。
【図面の簡単な説明】
【００２４】
【図１】歩行型管理機の全体側面図。
【図２】畦立て機の後方斜視図。
【図３】同じく側面図。
【図４】同じく平面図。
【図５】畦立て機のピッチ調節構成を示す図。
【図６】畦立て機の構成を示す模式図。
【図７】湾曲板の取り付け例を示す斜視図。
【図８】同じく側面図。
【図９】同じく平面図。
【図１０】同じく正面図。
【図１１】畦立て形状を示す正面断面図。
【図１２】正面側に取付けた湾曲板の構成を示す側断面図。
【図１３】同じく斜下面側に取付けた湾曲板の構成を示す側断面図。
【符号の説明】
【００２５】
５１    畦立て機
５２    ヒッチ
５３    ビーム
５５    フレーム
５８    側部整形器
６０    前整形器
６１    板体
６２    ステー
６５    上部整形器
【図１】
2006014707.tif 000003
【図２】
2006014707.tif 000004
【図３】
2006014707.tif 000005
【図４】
2006014707.tif 000006
【図５】
2006014707.tif 000007
【図６】
2006014707.tif 000008
【図７】
2006014707.tif 000009
【図８】
2006014707.tif 000010
【図９】
2006014707.tif 000011
【図１０】
2006014707.tif 000012
【図１１】
2006014707.tif 000013
【図１２】
2006014707.tif 000014
【図１３】
2006014707.tif 000015